(57)【要約】【課題】光ディスクをファイナライズする場合に、静止画のデータを動画データに変換するかどうかを選択することができるようにする。【解決手段】  記録再生装置１においてDVD１４をファイナライズする場合、演算処理部１６は、所定の条件に基づいて、映像・音声信号処理部１２に、静止画のデータを動画データに変換させるかどうかを制御する。映像・音声信号処理部１２は、演算処理部１６の制御にしたがい、静止画のデータを動画データに変換する。ディスク制御部１３は、変換された動画データをDVD１４に記録する。本発明は、例えば、静止画のデータをDVDに記録し、DVDをファイナライズする記録再生装置に適用できる。【選択図】図１
2006115118.tif 000002
【特許請求の範囲】
【請求項１】
動画および静止画のデータを光ディスクに記録する記録装置において、
前記光ディスクをファイナライズする場合に、前記静止画のデータを動画のデータと同一フォーマットの動画データに変換する変換手段と、
所定の条件に基づいて、前記変換手段に、前記静止画のデータを前記動画データに変換させるかどうかを制御する制御手段と、
前記変換手段により変換された前記動画データを前記光ディスクに記録する記録手段と
を備えることを特徴とする記録装置。
【請求項２】
前記制御手段は、静止画のデータを動画データに変換して前記光ディスクをファイナライズした前回のファイナライズを解除してからの、前記光ディスクに記録した静止画の枚数が所定の枚数未満である場合、前記静止画のデータを前記動画データに変換させないように制御する
ことを特徴とする請求項１に記載の記録装置。
【請求項３】
前記制御手段は、前記光ディスクが１回だけ書き込み可能なライトワンス・メディアである場合、前記静止画のデータを前記動画データに変換させるように制御する
ことを特徴とする請求項１に記載の記録装置。
【請求項４】
前記制御手段は、操作モードが所定の操作モードである場合、前記静止画のデータを前記動画データに変換させるように制御する
ことを特徴とする請求項１に記載の記録装置。
【請求項５】
動画および静止画のデータを光ディスクに記録する記録方法において、
前記光ディスクをファイナライズする場合に、前記静止画のデータを動画のデータと同一フォーマットの動画データに変換する変換ステップと、
所定の条件に基づいて、前記静止画のデータを前記動画データに変換させるかどうかを制御する制御ステップと、
前記変換ステップの処理により変換された前記動画データを前記光ディスクに記録する記録ステップと
を含むことを特徴とする記録方法。
【請求項６】
動画および静止画のデータを光ディスクに記録する記録処理を、コンピュータに実行させるプログラムにおいて、
前記光ディスクをファイナライズする場合に、前記静止画のデータを動画のデータと同一フォーマットの動画データに変換する変換ステップと、
所定の条件に基づいて、前記静止画のデータを前記動画データに変換させるかどうかを制御する制御ステップと、
前記変換ステップの処理により変換された前記動画データを前記光ディスクに記録する記録ステップと
を含むことを特徴とするプログラム。
【発明の詳細な説明】
【技術分野】
【０００１】
本発明は、記録装置および方法、並びにプログラムに関し、特に、光ディスクをファイナライズする場合に、静止画のデータを動画データに変換するかどうかを選択することができる記録装置および方法、並びにプログラムに関する。
【背景技術】
【０００２】
大容量の光ディスクであるDVD(Digital Versatile Disk)には、１回だけ書き込みが可能なDVD-R（Recordable）、複数回の書き込みが可能なDVD-RW(ReWritable)、DVD-RAM(Random Access Memory)などがある。また、DVDフォーラムによる規格外ではあるが、DVD+RやDVD+RWなどもある。
【０００３】
上述した各種のDVDに記録されたデータを再生専用のDVDプレーヤで再生するためには、ファイナライズの処理が必要となってくる。ファイナライズの処理とは、DVDの内周側から、リードイン領域、UDF(Universal Disk Format)領域、VMG(Video Manage)領域、実データ領域、およびリードアウト領域となるようにして、DVDに記録されたデータを、再生専用のDVD-ROM(Read Only Memory)と互換性のあるデータ配列にする処理である。ここで、再生専用のDVDプレーヤで再生可能なデータ配列（フォーマット）は、一般的には、DVDビデオフォーマットと称される。なお、以下では、DVDに対するファイナライズの処理を単にファイナライズ（ファイナライズする）ともいう。
【０００４】
DVDに動画のデータと静止画のデータがともに記録されている場合、一般的なファイナライズ（の処理）では、DVDに記録されている動画のデータのみが、ファイナライズされ（DVDプレーヤで再生可能なフォーマットにデータ変換処理され）、静止画のデータについては、ファイナライズされない。この場合、DVDに記録されている動画については、ユーザは、DVDプレーヤで鑑賞することができるものの、DVDに記録されている静止画については、鑑賞することができない。
【０００５】
これに対して、特許文献１では、ファイナライズする際に、先にDVDに記録されている静止画のデータを動画のデータと同一フォーマットのデータ（以下、動画データという）に変換し（以下、単に、静止画を動画に変換するともいう）、DVDプレーヤにおいて、ユーザが、動画とともに静止画も鑑賞することを可能とする技術が提案されている。ここで、静止画のデータを動画データに変換する処理を、以下では、単に、静止画を動画に変換する処理（静止画の動画変換処理）ともいう。この静止画を動画に変換する処理により、ユーザは、パーソナルコンピュータなどを利用しなくても、DVDに記録された動画と静止画の両方をDVDプレーヤで鑑賞することができるようになる。
【０００６】
【特許文献１】特開２００３−３１７３９８号公報
【発明の開示】
【発明が解決しようとする課題】
【０００７】
しかしながら、静止画を動画に変換する処理には、ある程度の時間（処理時間）を必要とするため、DVDに静止画が記録されている場合であっても、動画のみをDVDプレーヤで鑑賞すればよいユーザにとっては、DVDに記録されている静止画を動画に変換する処理は不要な処理であり、静止画を動画に変換する処理を含めたファイナライズにかかる処理時間（待ち時間）を増大させるのみである。
【０００８】
したがって、ファイナライズする際に静止画のデータを動画データに変換するかどうかについては、必要に応じて選択することができることが望ましい。
【０００９】
本発明は、このような状況に鑑みてなされたものであり、光ディスクをファイナライズする場合に、静止画のデータを動画データに変換するかどうかを選択することができるようにするものである。
【課題を解決するための手段】
【００１０】
本発明の記録装置は、光ディスクをファイナライズする場合に、静止画のデータを動画のデータと同一フォーマットの動画データに変換する変換手段と、所定の条件に基づいて、変換手段に、静止画のデータを動画データに変換させるかどうかを制御する制御手段と、変換手段により変換された動画データを光ディスクに記録する記録手段とを備えることを特徴とする。
【００１１】
制御手段には、静止画のデータを動画データに変換して光ディスクをファイナライズした前回のファイナライズを解除してからの、光ディスクに記録した静止画の枚数が所定の枚数未満である場合、静止画のデータを動画データに変換させないように制御させることができる。
【００１２】
制御手段には、光ディスクが１回だけ書き込み可能なライトワンス・メディアである場合、静止画のデータを動画データに変換させるように制御させることができる。
【００１３】
制御手段には、操作モードが所定の操作モードである場合、静止画のデータを動画データに変換させるように制御させることができる。
【００１４】
本発明の記録方法は、光ディスクをファイナライズする場合に、静止画のデータを動画のデータと同一フォーマットの動画データに変換する変換ステップと、所定の条件に基づいて、静止画のデータを動画データに変換させるかどうかを制御する制御ステップと、変換ステップの処理により変換された動画データを光ディスクに記録する記録ステップとを含むことを特徴とする。
【００１５】
本発明のプログラムは、光ディスクをファイナライズする場合に、静止画のデータを動画のデータと同一フォーマットの動画データに変換する変換ステップと、所定の条件に基づいて、静止画のデータを動画データに変換させるかどうかを制御する制御ステップと、変換ステップの処理により変換された動画データを光ディスクに記録する記録ステップとを含む処理をコンピュータに実行させることを特徴とする。
【００１６】
本発明においては、光ディスクをファイナライズする場合に、静止画のデータが動画のデータと同一フォーマットの動画データに変換され、所定の条件に基づいて、静止画のデータが動画データに変換させるかどうかが制御され、変換された動画データが光ディスクに記録される。
【発明の効果】
【００１７】
本発明によれば、光ディスクをファイナライズする場合に、静止画のデータを動画データに変換するかどうかを選択することができる。
【発明を実施するための最良の形態】
【００１８】
以下に本発明の実施の形態を説明するが、請求項に記載の構成要件と、発明の実施の形態における具体例との対応関係を例示すると、次のようになる。この記載は、請求項に記載されている発明をサポートする具体例が、発明の実施の形態に記載されていることを確認するためのものである。従って、発明の実施の形態中には記載されているが、構成要件に対応するものとして、ここには記載されていない具体例があったとしても、そのことは、その具体例が、その構成要件に対応するものではないことを意味するものではない。逆に、具体例が構成要件に対応するものとしてここに記載されていたとしても、そのことは、その具体例が、その構成要件以外の構成要件には対応しないものであることを意味するものでもない。
【００１９】
さらに、この記載は、発明の実施の形態に記載されている具体例に対応する発明が、請求項に全て記載されていることを意味するものではない。換言すれば、この記載は、発明の実施の形態に記載されている具体例に対応する発明であって、この出願の請求項には記載されていない発明の存在、すなわち、将来、分割出願されたり、補正により追加される発明の存在を否定するものではない。
【００２０】
請求項１に記載の記録装置は、
動画および静止画のデータを光ディスクに記録する記録装置において、
前記光ディスクをファイナライズする場合に、前記静止画のデータを動画のデータと同一フォーマットの動画データに変換する変換手段（例えば、図１の映像・音声信号処理部１２）と、
所定の条件に基づいて、前記変換手段に、前記静止画のデータを前記動画データに変換させるかどうかを制御する制御手段（例えば、図１の演算処理部１６）と、
前記変換手段により変換された前記動画データを前記光ディスクに記録する記録手段（例えば、図１のディスク制御部１３）と
を備えることを特徴とする。
【００２１】
請求項５に記載の記録方法は、
動画および静止画のデータを光ディスクに記録する記録方法において、
前記光ディスクをファイナライズする場合に、前記静止画のデータを動画のデータと同一フォーマットの動画データに変換する変換ステップ（例えば、図３のステップＳ５の処理）と、
所定の条件に基づいて、前記静止画のデータを前記動画データに変換させるかどうかを制御する制御ステップ（例えば、図３のステップＳ４の処理）と、
前記変換ステップの処理により変換された前記動画データを前記光ディスクに記録する記録ステップ（例えば、図３のステップＳ５の処理）と
を含むことを特徴とする。
【００２２】
請求項６に記載のプログラムの各ステップの具体例も、請求項５に記載の記録方法の各ステップの発明の実施の形態における具体例と同様である。
【００２３】
以下、図を参照して、本発明の実施の形態について説明する。
【００２４】
図１は、本発明を適用した記録再生装置の一実施の形態の構成例を示すブロック図である。
【００２５】
図１の記録再生装置１は、映像・音声信号入力部１１、映像・音声信号処理部１２、ディスク制御部１３、DVD（光ディスク）１４、映像・音声出力部１５、演算処理部１６、記憶部１７、操作部１８、電源制御部１９、バッテリ２０、およびAC（alternating current）電源部２１とから構成されている。また、映像・音声出力部１５は、少なくとも、スピーカ３１および表示部３２から構成されている。
【００２６】
映像・音声信号入力部１１は、レンズおよびCCD (Charge Coupled Device)やCMOS（Complementary Mental Oxide Semiconductor）等の撮像素子などで構成される撮像装置、マイクロホン、A/D（Analog/Digital）変換処理などを行う信号処理回路、または外部入力端子などにより構成される。映像・音声信号入力部１１は、撮像装置または外部入力端子などから得られる映像または音声信号を、必要に応じてA/D変換して、映像・音声信号処理部１２に供給する。
【００２７】
映像・音声信号処理部１２は、例えばMPEG(Moving Picture Experts Group)方式によるエンコードまたはデコードを行うエンコード／デコード処理回路、表示部３２においてOSD(On Screen Display)表示を行うための、映像信号とOSD信号とを合成する合成回路、映像または音声信号の誤り訂正処理を行うECC(Error Checking and Correction)回路、DVD１４をファイナライズ処理するファイナライズ回路などにより構成される。
【００２８】
映像・音声信号処理部１２は、映像・音声信号処理入力部１１から供給される映像または音声信号を、必要に応じてエンコード処理して、ディスク制御部１３に供給する。また、映像・音声信号処理部１２は、映像・音声信号処理入力部１１またはディスク制御部１３から供給される映像または音声信号を、必要に応じてデコード処理して、映像・音声出力部１５に供給する。さらに、映像・音声信号処理部１２は、演算処理部１６からOSD信号が供給された場合、そのOSD信号を映像信号と合成し、合成映像信号として映像・音声出力部１５に供給する。
【００２９】
また、映像・音声信号処理部１２は、演算処理部１６からDVD１４をファイナライズ（処理）する旨の制御信号が供給されると、ファイナライズ処理を実行する。ここで、DVD１４に記録されている静止画のデータを動画データに変換してから、ファイナライズ処理を実行する場合には、静止画のデータを動画データに変換する旨の制御信号も演算処理部１６から映像・音声信号処理部１２に供給される。この場合、映像・音声信号処理部１２は、DVD１４に記録されている静止画のデータを動画データに変換し、その後、ファイナライズ処理を実行する。これにより、変換された動画データ（映像信号）、およびファイナライズ処理により生成されたDVD１４のリードイン領域、UDF(Universal Disk Format)領域、VMG(Video Manage)領域、およびリードアウト領域に書き込むための情報（以下、ディスク情報信号という）が、映像・音声信号処理部１２からディスク制御部１３に供給される。なお、静止画のデータを動画データに変換する処理（静止画の動画変換処理）およびファイナライズ処理については、上述した特開２００３−３１７３９８号公報において説明されているので、その説明を省略する。
【００３０】
ディスク制御部１３は、光ピックアップ、スピンドルモータなどから成るDVDドライブを有しており、DVDドライブに装着されたDVD１４に対するデータの記録または再生を制御する。即ち、ディスク制御部１３は、映像・音声信号処理部１２から供給される映像信号、音声信号またはディスク情報信号に対応するデータをDVD１４に記録する（書き込む）。また、ディスク制御部１３は、DVD１４から読み出された（再生された）データを映像または音声信号に変換し、映像・音声信号処理部１２に供給する。
【００３１】
さらに、ディスク制御部１３は、装着されているDVD１４のメディアの種類、即ち、DVD１４が、再生専用（書き込みが不可能な）のDVD-ROM、１回のみデータの書き込み可能なDVD-R（ライトワンス・メディア）、または複数回のデータの書き込みが可能なDVD-RWのうちのいずれのメディアであるかの情報や、DVD１４に既に記録されている静止画の枚数などを判別し、その判別結果を演算処理部１６に供給する。なお、ディスク制御部１３は、装着されているDVD１４のメディアの種類を、DVD１４のリードインエリアに記録されている情報や、DVD１４に反射して返ってくるレーザ光の反射率を解析することによって判別することができる。
【００３２】
映像・音声出力部１５は、少なくとも、スピーカ３１、およびLCD(Liquid Crystal display)またはCRT(Cathode Ray Tube)などよりなる表示部３２を有しており、映像・音声信号処理部１２から供給される映像信号または合成映像信号をNTSC(National Television System Committee) やPAL(Phase Alternation by Line)などの所定のフォーマットのデータに変換し、表示部３２に表示したり、映像・音声信号処理部１２から供給される音声信号をアナログ変換し、スピーカ３１から出力する。
【００３３】
演算処理部１６は、CPU（Central Processing Unit）、ROM（Read Only Memory）、またはRAM（Random Access Memory）などにより構成され、操作部１８から供給される操作信号に基づいて、記録再生装置１の各部を制御する。例えば、DVD１４をファイナライズする旨の操作信号が操作部１８から供給された場合、演算処理部１６は、DVD１４をファイナライズする旨の制御信号や、静止画のデータを動画データに変換する旨の制御信号を映像・音声信号処理部１２に供給する。また、演算処理部１６は、映像・音声出力部の表示部３２にOSD表示を行わせる場合には、そのOSD表示に対応するOSD信号を映像・音声信号処理部１２に供給する。
【００３４】
なお、映像・音声出力部１５では、所定の映像信号と合成されていないOSD信号のみが映像・音声信号処理部１２から供給された場合でも、表示部３２に所定の画面として表示させることが可能である。例えば、演算処理部１６は、DVD１４をファイナライズする旨の操作信号が操作部１８から供給された場合、静止画のデータを動画データに変換するかどうかをユーザに選択させる画面（以下、静止画変換選択画面という）を表すOSD信号を、映像・音声信号処理部１２を介して映像・音声出力部１５に供給する。この場合、映像・音声出力部１５は、供給されたOSD信号に基づいて、静止画変換選択画面を表示部３２に表示させる。なお、静止画変換選択画面を構成するための画面データは、記憶部１７に記憶されており、必要に応じて記憶部１７から演算処理部１６に供給される。
【００３５】
また、上述したように、演算処理部１６には、ディスク制御部１３から、DVD１４のメディアの種類や、DVD１４に記録済の静止画の枚数などの情報が供給される。さらに、演算処理部１６には、電源制御部１９より、記録再生装置１がAC電源で駆動しているか、バッテリ２０により駆動しているかの情報（以下、電源情報という）も供給される。
【００３６】
記憶部１７は、上述した静止画変換選択画面等を構成する画面データや、ファイナライズの際に静止画のデータを動画データに変換するかどうかについてユーザが選択した選択情報などを記憶し、必要に応じて演算処理部１６に供給する。
【００３７】
操作部１８は、テンキーや操作ボタン、キーボード、マウス、タッチパネル、リモートコントローラなどで構成され、ユーザの操作を受け付け、その操作に対応する操作信号を演算処理部１６に供給する。例えば、ユーザは、操作部１８において、DVD１４に対する記録または再生の開始または終了などの操作を行う。この場合、操作部１８は、DVD１４に対する記録または再生の開始または終了を表す操作信号を演算処理部１６に供給する。また、操作部１８は、DVD１４をファイナライズする場合に操作（押下）されるファイナライズキー(ボタン)を有し、ファイナライズキーがユーザにより操作された場合、DVD１４をファイナライズする旨の操作信号を演算処理部１６に供給する。
【００３８】
電源制御部１９は、AC電源部２１から供給されるAC電源を制御し、記録再生装置１の各部に電源を供給する。また、電源制御部１９は、バッテリ２０の残容量を管理し、バッテリ２０が満充電されていない場合には、AC電源部２１から供給されるAC電源をバッテリ２０に供給し、充電させる。さらに、電源制御部１９は、記録再生装置１がAC電源部２１からのAC電源により駆動しているか、またはバッテリ２０により駆動しているかの情報（電源情報）と、およびバッテリ２０の残容量とを演算処理部１６に供給する。
【００３９】
バッテリ２０は、電源制御部１９から供給される電源を蓄える。また、バッテリ２０は、そこに蓄えられている電源を電源制御部１９に供給する。AC電源部２１は、AC電源を電源制御部１９に供給する。
【００４０】
以上のように構成される記録再生装置１の、映像または音声信号（データ）のDVD１４に対する記録（書き込み）または再生（読み出し）の動作について説明する。
【００４１】
記録再生装置１が映像または音声信号をDVD１４に記録する場合、所定の映像または音声信号が映像・音声信号入力部１１から映像・音声信号処理部１２に供給される。映像・音声信号処理部１２は、映像・音声信号入力部１１から供給された映像または音声信号に対して、例えばMPEG方式によるエンコード処理を実行し、その結果得られる映像または音声信号をディスク制御部１３に供給する。ディスク制御部１３は、光ピックアップ等を制御することにより、映像・音声信号処理部１２から供給された映像または音声信号に対応するデータをDVD１４に記録する。
【００４２】
記録再生装置１がDVD１４に記録されているデータを再生する場合、ディスク制御部１３は、DVD１４に記録されているデータを読み出し、映像または音声信号に変換し、映像・音声信号処理部１２に供給する。映像・音声信号処理部１２は、ディスク制御部１３から供給された映像または音声信号に対して、誤り訂正処理を施し、MPEG方式等によるデコード処理を行って、映像・音声出力部１５に出力する。映像・音声出力部１５は、映像・音声信号処理部１２から供給された映像・音声信号にしたがい、映像を表示部３２に表示させたり、音声をスピーカ３１から出力させる。
【００４３】
次に、記録再生装置１がDVD１４をファイナライズするときのファイナライズ制御処理について説明する。
【００４４】
図２は、操作部１８においてユーザによりファイナライズキーが操作されたときに、表示部３２に表示される静止画変換選択画面の例を示している。図２の静止画変換選択画面は、例えば、ファイナライズの各種の設定をウィザード形式にしてユーザに指定させるときの一画面として表示される。
【００４５】
操作部１８において、ファイナライズキーが操作された場合、記録再生装置１は、静止画変換選択画面を表示部３２に表示し、静止画のデータを動画データに変換してからファイナライズするかどうかをユーザに選択させる。
【００４６】
静止画変換選択画面４１は、図２に示すように、メッセージ領域５１、「変換する」ボタン５２、「変換しない」ボタン５３、「戻る」ボタン５４、および「OK」ボタン５５により構成されている。
【００４７】
メッセージ領域５１には、「ファイナライズを行います。同時に記録されている静止画を動画に変換しますか？」のメッセージが表示されている。このメッセージを視認したユーザは、操作部１８のマウス等により、静止画を動画に変換する場合には、「変換する」ボタン５２を押下し、静止画を動画に変換しない場合には、「変換しない」ボタン５３を押下する。そして、「変換する」ボタン５２または「変換しない」ボタン５３が押下されたことを表す操作信号が、操作部１８から演算処理部１６に供給される。
【００４８】
一方、「戻る」ボタン５４がユーザにより押下された場合、静止画変換選択画面４１が表示部３２に表示される前の画面表示に切り替えられる。また、ユーザにより「OK」ボタン５５が押下された場合、表示部３２では、静止画変換選択画面４１の次の画面に表示が切り替えられる。この場合、「変換する」ボタン５２および「変換しない」ボタン５３のいずれも選択（押下）されないことになるので、ファイナライズの際の静止画のデータを動画データに変換するかどうかについては、例えば、記憶部１７に記憶されているデフォルトの設定（例えば、「変換しない」）が採用される。
【００４９】
次に、図３のフローチャートを参照して、記録再生装置１のファイナライズ制御処理について説明する。
【００５０】
初めに、ステップＳ１において、記録再生装置１は、ファイナライズキーが操作されたか否かを判定し、ファイナライズキーが操作されたと判定されるまで待機する。
【００５１】
ステップＳ１において、ファイナライズキーが操作されたと判定された場合、即ち、ユーザによりファイナライズキーが操作された旨の操作信号が操作部１８から演算処理部１６に供給された場合、ステップＳ２に進み、演算処理部１６は、ウィザード形式等により、図２に示した静止画変換選択画面４１を表示部３２に表示させて、ステップＳ３に進む。
【００５２】
ユーザは、操作部１８のマウスまたはキーボードなどにより、静止画変換選択画面４１の「変換する」ボタン５２または「変換しない」ボタン５３を選択（押下）する。そして、ステップＳ３において、「変換する」ボタン５２または「変換しない」ボタン５３のいずれか一方が選択された旨の操作信号が演算処理部１６に供給される。演算処理部１６は、ステップＳ３において、ユーザにより選択された「変換する」ボタン５２または「変換しない」ボタン５３にそれぞれ対応する「変換する」または「変換しない」の設定を記憶部１７に記憶させて、ステップＳ４に進む。
【００５３】
ステップＳ４において、演算処理部１６は、ユーザにより選択された設定、即ち、今回のファイナライズにおける静止画変換に関する設定が「動画変換する」であるか否かを判定する。ステップＳ４で、ユーザにより選択された設定（今回のファイナライズにおける静止画変換に関する設定）が「動画変換する」ではないと判定された場合、ステップＳ５をスキップして、ステップＳ６に進む。
【００５４】
一方、ステップＳ４で、ユーザにより選択された設定、即ち、今回のファイナライズにおける静止画変換に関する設定が「動画変換する」であると判定された場合、ステップＳ５に進み、記録再生装置１は、DVD１４に記録されている静止画のデータを動画データに変換する処理（静止画の動画変換処理）を実行する。これにより、変換された動画データが、映像・音声信号処理部１２からディスク制御部１３に供給される。
【００５５】
ステップＳ５の処理後、またはステップＳ４においてユーザにより「動画変換しない」が選択された場合、ステップＳ６において、映像・音声信号処理部１２は、DVD１４のファイナライズ処理を実行する。即ち、映像・音声信号処理部１２は、DVD１４に記録されたデータがDVDビデオフォーマットとなるように、ディスク情報信号をディスク制御部１３に供給する。
【００５６】
また、ステップＳ６において、ディスク制御部１３は、映像・音声信号処理部１２から供給されたディスク情報信号に対応するデータをDVD１４に記録する。なお、ステップＳ５の処理が実行され、静止画のデータを変換した動画データが映像・音声信号処理部１２からディスク制御部１３に供給されている場合には、ステップＳ６において、ディスク制御部１３は、その変換された動画データをDVD１４に記録した後、ディスク情報信号に対応するデータをDVD１４に記録して、処理を終了する。
【００５７】
以上のように、図３のファイナライズ制御処理によれば、記録再生装置１は、DVD１４をファイナライズする際に、図２に示した静止画変換選択画面４１を表示部３２に表示させ、ユーザに、静止画のデータを動画データに変換するかどうかを選択させる。そして、静止画のデータを動画データに変換することが選択された場合、即ち、図２の静止画変換選択画面４１において「変換する」ボタン５２が操作された場合、記録再生装置１は、静止画の動画変換処理を実行し、その後、ファイナライズ処理を実行する。
【００５８】
これにより、DVDプレーヤにおいて静止画の鑑賞を所望するユーザは、静止画のデータを動画データに変換してから、ファイナライズ処理を実行させることができ、DVD１４に記録された動画だけの鑑賞を所望するユーザは、静止画の動画変換処理にかかる時間を省略し、ファイナライズ処理を短時間で終了させることができる（ファイナライズ処理終了までの待ち時間を短縮させることができる）。
【００５９】
ところで、図３のファイナライズ制御処理では、ファイナライズが実行される度に、図２の静止画変換選択画面４１が表示部３２に表示され、記録再生装置１は、静止画のデータを動画データに変換するかどうかをユーザに選択させる。しかしながら、ユーザによっては、常に「動画変換する」または「動画変換しない」のどちらか一方に決定しているユーザもいる。そのようなユーザは、今後のファイナライズの実行においても、これまでと同一の選択を行うと考えられる。また、そのようなユーザにとっては、ファイナライズの実行が行われる度に図２の静止画変換選択画面４１が表示部３２に表示され、静止画のデータを動画データに変換するかどうかを選択することは、煩わしさを感じることになる。そこで、記録再生装置１には、「動画変換する」または「動画変換しない」が予め設定された所定の回数以上選択された場合、それ以降は、ユーザに選択してもらわなくても、これまでと同一の選択をしたものとみなし、処理するようにさせることができる。
【００６０】
図４のフローチャートを参照して、同一の設定が所定回数以上選択された場合、これまでと同様の設定を選択するようにしたファイナライズ制御処理を説明する。
【００６１】
初めに、ステップＳ２１において、記録再生装置１は、ファイナライズキーが操作されたか否かを判定し、ファイナライズキーが操作されたと判定されるまで待機する。
【００６２】
ステップＳ２１において、ファイナライズキーが操作されたと判定された場合、即ち、ユーザによりファイナライズキーが操作された旨の操作信号が操作部１８から演算処理部１６に供給された場合、ステップＳ２２に進み、演算処理部１６は、これまでに所定の回数以上、「静止画を動画変換する」の設定が選択されたか否かを判定する。なお、演算処理部１６には、これまでの図２の静止画変換選択画面４１における、ユーザの「動画変換する」または「動画変換しない」の選択の回数を記憶部１７に記憶させるようにすることができる。これにより、ステップＳ２２では、演算処理部１６は、記憶部１７に記憶されている、これまでのユーザの「動画変換する」または「動画変換しない」の選択の回数が、所定の回数以上であるか否かを判定する。
【００６３】
ステップＳ２２において、これまでに所定の回数以上、「静止画を動画変換する」の設定が選択されたと判定された場合、即ち、これまでにユーザが「動画変換する」を選択した回数が所定の回数以上である場合、ステップＳ２３に進み、記録再生装置１は、今回のファイナライズにおける静止画変換に関する設定を「動画変換する」にして、ステップＳ２８に進む。
【００６４】
一方、ステップＳ２２において、これまでに所定の回数以上、「静止画を動画変換する」の設定が選択されていないと判定された場合、ステップＳ２４に進み、演算処理部１６は、これまでに所定の回数以上、「静止画を動画変換しない」の設定が選択されたか否かを判定する。
【００６５】
ステップＳ２４において、これまでに所定の回数以上、「静止画を動画変換しない」の設定が選択されたと判定された場合、即ち、これまでにユーザが「動画変換しない」を選択した回数が所定回数以上である場合、ステップＳ２５に進み、記録再生装置１は、今回のファイナライズにおける静止画変換に関する設定を「動画変換しない」にして、ステップＳ２８に進む。
【００６６】
一方、ステップＳ２４において、これまでに所定の回数以上、「静止画を動画変換しない」の設定が選択されていないと判定された場合、ステップＳ２６に進む。
【００６７】
ステップＳ２６乃至Ｓ３０の処理は、上述した図３のステップＳ２乃至６の処理と同様であるので、その説明を省略する。
【００６８】
図４のファイナライズ制御処理では、図２の静止画変換選択画面４１において「動画変換する」または「動画変換しない」の同一の設定がこれまでに所定回数以上選択されている場合、記録再生装置１は、それと同一の設定を選択する。これにより、ユーザの操作（静止画の動画変換選択の操作）の負担を軽減することができる。
【００６９】
なお、所定回数以上の同一の選択がなされていない場合であっても、ユーザによって今後も同一の設定で実行するように指定がなされた場合には、その設定で静止画を動画に変換するかどうかを選択するようにしてもよい。
【００７０】
図５は、そのように、今後も同一の設定で実行するかどうかをユーザが指定することができるようにした静止画変換選択画面４１を示している。なお、図２の静止画変換選択画面４１と対応する部分については同一の符号を付してあり、その説明を省略する。
【００７１】
即ち、図５の静止画変換選択画面４１では、「今後も同一設定で実行する」を指定するチェックボックス７１が新たに設けられている他は、図２と同様に構成されている。
【００７２】
ユーザは、図５の静止画変換選択画面４１が表示部３２に表示されたときに、今後も同一の設定で、静止画の動画変換処理を実行したい場合には、チェックボックス７１をオンした後で、「変換する」ボタン５２または「変換しない」ボタン５３のいずれか一方を選択する。演算処理部１６は、「変換する」ボタン５２または「変換しない」ボタン５３にそれぞれ対応する「変換する」または「変換しない」の設定とともに、チェックボックス７１のオンまたはオフを表すフラグを記憶部１７に記憶させる。これにより、次回以降のファイナライズの際には、記憶部７１に記憶されているフラグがチェックボックス７１のオンを表している場合、図５（図２）の静止画変換選択画面４１を表示部３２に表示することなく、今回ユーザにより選択された設定（記憶部１７に記憶されている「変換する」または「変換しない」の設定）が採用される。
【００７３】
図６のフローチャートを参照して、図５の静止画変換選択画面４１を用いたファイナライズ制御処理を説明する。
【００７４】
初めに、ステップＳ５１において、記録再生装置１は、ファイナライズキーが操作されたか否かを判定し、ファイナライズキーが操作されたと判定されるまで待機する。
【００７５】
ステップＳ５１において、ファイナライズキーが操作されたと判定された場合、即ち、ユーザによりファイナライズキーが操作された旨の操作信号が操作部１８から演算処理部１６に供給された場合、ステップＳ５２に進み、演算処理部１６は、以前の図５の静止画変換選択画面４１において、「今後も同一設定で実行する」を指定するチェックボックス７１が指定（オン）されていたか否か、即ち、記憶部７１に記憶されているフラグがチェックボックス７１のオンを表しているか否かを判定する。
【００７６】
ステップＳ５２において、以前に「今後も同一設定で実行する」を指定するチェックボックス７１が指定（オン）されていたと判定された場合、即ち、記憶部７１に記憶されているフラグがチェックボックス７１のオンを表している場合、ステップＳ５３とＳ５４をスキップしてステップＳ５５に進む。
【００７７】
一方、ステップＳ５２において、以前に「今後も同一設定で実行する」を指定するチェックボックス７１が指定（オン）されていないと判定された場合、即ち、記憶部７１に記憶されているフラグがチェックボックス７１のオフを表している場合、ステップＳ５３に進む。
【００７８】
ステップＳ５３乃至Ｓ５７の処理は、上述した図３のステップＳ２乃至６の処理と同様であるので、その説明を省略する。但し、ステップＳ５２において、以前に「今後も同一設定で実行する」を指定するチェックボックス７１が指定（オン）されていたと判定された場合、ステップＳ５５では、記憶部１７に記憶されている設定を、今回のファイナライズにおける静止画変換に関する設定として、「動画変換する」であるか否かが判定される。
【００７９】
以上のように、図６のファイナライズ制御処理によれば、図５の静止画変換選択画面４１において、「今後も同一設定で実行する」を指定するチェックボックス７１を指定（オン）することにより、ユーザは、今後のファイナライズの際に、「動画変換する」かまたは「動画変換しない」かを指定する必要がないので、ユーザの操作の負担を軽減することができる。
【００８０】
次に、図７のフローチャートを参照して、操作モードに応じて、図５（図２）の静止画変換選択画面４１を表示部３２に表示させないようにするファイナライズ制御処理について説明する。
【００８１】
初めに、ステップＳ８１において、記録再生装置１は、ファイナライズキーが操作されたか否かを判定し、ファイナライズキーが操作されたと判定されるまで待機する。
【００８２】
ステップＳ８１において、ファイナライズキーが操作されたと判定された場合、即ち、ユーザによりファイナライズキーが操作された旨の操作信号が操作部１８から演算処理部１６に供給された場合、ステップＳ８２に進み、演算処理部１６は、記録再生装置１が初心者モードであるか否かを判定する。
【００８３】
記録再生装置１は、装置の操作に不慣れやユーザや、詳細な設定をせずに装置を使用したいユーザのために、必要最低限の操作（DVD１４の記録、再生など）のみを行うようにした初心者モードと、全ての機能の設定（選択）がユーザによって可能な標準モードの２つの操作モードを少なくとも有している。ユーザは、操作部１８の操作ボタンなどを操作することにより、初心者モード、標準モード、または、その他の操作モードをそれぞれ指定することができる。そして、ユーザにより指定された操作モードの設定は、記憶部１７に記憶される。
【００８４】
ステップＳ８２において、記録再生装置１が初心者モードではないと判定された場合、ステップＳ８３に進み、記録再生装置１が初心者モードであると判定された場合、ステップＳ８６に進む。
【００８５】
ステップＳ８３乃至Ｓ８７の処理は、上述した図３のステップＳ２乃至６の処理と同様であるので、その詳細な説明を省略する。
【００８６】
即ち、ステップＳ８２において、記録再生装置１が初心者モード以外の、例えば、標準モードであると判定された場合、記録再生装置１は、図２の静止画変換選択画面４１を表示部３２に表示させ、静止画を「動画変換する」か、または「動画変換しない」かをユーザに選択させ、その設定に応じて、静止画の動画変換処理を実行するか否かを決定する。
【００８７】
一方、ステップＳ８２において、記録再生装置１が初心者モードであると判定された場合、記録再生装置１は、必ず静止画の動画変換処理を実行し、その後、ファイナライズ処理を実行する。
【００８８】
以上のように、図７のファイナライズ制御処理によれば、初心者モードなどの操作モードに応じて、静止画の動画変換処理を実行するか否かを決定する。これにより、例えば、装置の不慣れなユーザなどは、静止画の動画変換選択の操作を省略することができる。
【００８９】
なお、これまでに説明したファイナライズ制御処理では、ファイナライズの過程において、必要に応じて図２（図５）の静止画変換選択画面４１を表示させ、そこで選択された設定に応じて、「動画変換する」か、または「動画変換しない」かを決定するようにしたが、以下に示すファイナライズ制御処理では、ファイナライズの過程では、図２（図５）の静止画変換選択画面４１を表示せずに、所定の条件に基づいて、「動画変換する」か、または「動画変換しない」かを記録再生装置１の演算処理部１６が選択し、その選択に応じて、静止画の動画変換処理を実行する（しない）ようにする。
【００９０】
図８のフローチャートを参照して、さらにその他のファイナライズ制御処理について説明する。
【００９１】
初めに、ステップＳ１０１において、記録再生装置１は、ファイナライズキーが操作されたか否かを判定し、ファイナライズキーが操作されたと判定されるまで待機する。
【００９２】
ステップＳ１０１で、ファイナライズキーが操作されたと判定された場合、ステップＳ１０２に進み、演算処理部１６は、今回のファイナライズにおける静止画変換に関する設定を決定する、静止画の動画変換決定処理を行う。この処理では、記録再生装置１は、後述するように、装置の各種の設定をユーザに行わせる設定画面などによって予め指定されている設定や、DVD１４のメディアの種類などに応じて、今回のファイナライズにおいてDVD１４に記録されている静止画のデータを「動画変換する」か、または「動画変換しない」かを決定する。
【００９３】
ステップＳ１０２の後、ステップＳ１０３に進み、記録再生装置１は、ステップＳ１０２の静止画の動画変換決定処理によって決定された設定が「動画変換する」であるか否かを判定する。ステップＳ１０３で、静止画の動画変換決定処理によって決定された設定が「動画変換する」ではない、即ち、設定が「動画変換しない」であると判定された場合、ステップＳ１０４をスキップして、ステップＳ１０５に進む。
【００９４】
一方、ステップＳ１０３で、静止画の動画変換決定処理によって決定された設定が「動画変換する」であると判定された場合、ステップＳ１０４に進み、記録再生装置１は、静止画の動画変換処理を実行し、ステップＳ１０５に進む。
【００９５】
ステップＳ１０５において、記録再生装置１は、DVD１４のファイナライズ処理を実行して、処理を終了する。
【００９６】
次に、上述したステップＳ１０２で行われる第１乃至第７の静止画の動画変換決定処理について説明する。
【００９７】
初めに、第１の静止画の動画変換決定処理について説明する。
【００９８】
第１の静止画の動画変換決定処理では、ファイナライズの際に、静止画のデータを「動画変換する」か、または「動画変換しない」かについての設定が、装置の各種の設定をユーザに設定させる設定画面によって決定される。
【００９９】
図９は、装置の各種の設定をユーザに設定させる設定画面のうちの、静止画のデータを動画データに変換するかどうかを設定する静止画変換設定画面の例を示している。
【０１００】
静止画変換設定画面１０１は、図９に示すように、メッセージ領域１０２、「変換する」ボタン１０３、「変換しない」ボタン１０４、および「戻る」ボタン１０５により構成されている。
【０１０１】
図９のメッセージ領域１０２、「変換する」ボタン１０３、「変換しない」ボタン１０４、および「戻る」ボタン１０５は、図２のメッセージ領域５１、「変換する」ボタン５２、「変換しない」ボタン５３、および「戻る」ボタン５４に、それぞれ対応するものであり、同様の説明となるので、その説明を省略する。
【０１０２】
図９の静止画変換設定画面１０１においてユーザにより選択された設定が記憶部１７に記憶され、記録再生装置１は、その設定に基づいて、ファイナライズの際に、静止画のデータを「動画変換する」か、または「動画変換しない」かを決定する。
【０１０３】
図１０のフローチャートを参照して、第１の静止画の動画変換決定処理について説明する。
【０１０４】
初めに、ステップＳ１２１において、記録再生装置１は、図９の静止画変換設定画面１０１によりユーザにより予め設定されている静止画変換に関する設定（記憶部１７に記憶されている静止画変換に関する設定）が、「動画変換する」になっているか否かを判定する。
【０１０５】
ステップＳ１２１で、設定が「動画変換する」となっていないと判定された場合、ステップＳ１２２に進み、記録再生装置１は、今回のファイナライズにおける静止画変換に関する設定を「動画変換しない」にして、処理を戻る。
【０１０６】
ステップＳ１２１で、設定が「動画変換する」となっていると判定された場合、ステップＳ１２３に進み、記録再生装置１は、今回のファイナライズにおける静止画変換に関する設定を「動画変換する」にして、処理を戻る。
【０１０７】
次に、第２の静止画の動画変換決定処理について説明する。
【０１０８】
第２の静止画の動画変換決定処理では、演算処理部１６は、ディスク制御部１３から供給されるDVD１４のメディアの種類が１回のみデータの書き込み可能なライトワンス・メディアである場合に、今回のファイナライズにおける静止画変換に関する設定を「動画変換する」にする。
【０１０９】
DVD１４がライトワンス・メディアである場合、そのDVD１４に対して１度ファイナライズを実行すると、その後は、ファイナライズの解除ができないため、後で静止画の動画変換処理を実行することができない。そこで、DVD１４のメディアの種類がライトワンス・メディアである場合には、今回のファイナライズにおける静止画変換に関する設定を「動画変換する」にする。
【０１１０】
図１１のフローチャートを参照して、第２の静止画の動画変換決定処理について説明する。
【０１１１】
初めに、ステップＳ１４１において、記録再生装置１は、ディスク制御部１３に装着されているDVD１４のメディアの種類が、ライトワンス・メディアであるか否かを判定する。
【０１１２】
ステップＳ１４１で、DVD１４のメディアの種類がライトワンス・メディアではないと判定された場合、ステップＳ１４２に進み、記録再生装置１は、今回のファイナライズにおける静止画変換に関する設定を「動画変換しない」にして、処理を戻る。
【０１１３】
一方、ステップＳ１４１で、DVD１４のメディアの種類がライトワンス・メディアであると判定された場合、ステップＳ１４３に進み、記録再生装置１は、今回のファイナライズにおける静止画変換に関する設定を「動画変換する」にして、処理を戻る。
【０１１４】
次に、第３の静止画の動画変換決定処理について説明する。
【０１１５】
第３の静止画の動画変換決定処理では、演算処理部１６は、ディスク制御部１３から供給される、DVD１４に既に記録されている静止画の枚数によって、静止画のデータを「動画変換する」か、または「動画変換しない」かを選択する。
【０１１６】
静止画の動画変換処理（図８のステップＳ１０４で行われる処理）には、ある程度の処理時間（待ち時間）を必要とするが、DVD１４に記録されている静止画の（データの）枚数が少ない場合には、静止画の動画変換処理を短時間で行うことができる。
【０１１７】
そこで、演算処理部１６は、DVD１４に既に記録されている静止画の枚数が予め設定された所定の枚数未満である場合に、今回のファイナライズにおける静止画変換に関する設定を「動画変換する」にする。
【０１１８】
なお、どれくらいまでの待ち時間を許容の範囲内とするかについての尺度は、ユーザによって個々に異なるため、静止画の枚数が何枚までであれば静止画のデータを動画データに変換するかについて、ユーザが設定できるようになされている。
【０１１９】
図１２は、装置の各種の設定をユーザに設定させる設定画面のうちの、静止画の枚数が何枚までであれば静止画のデータを動画データに変換するかについてユーザに設定させる、静止画枚数設定画面の例を示している。
【０１２０】
静止画枚数設定画面１２１は、図１２に示すように、メッセージ領域１２２、テキストボックス１２３、および「戻る」ボタン１２４により構成されている。
【０１２１】
メッセージ領域１２２には、「ディスクに記録されている静止画の枚数が設定された枚数未満である場合には、静止画を動画に変換します。枚数を入力してください。」のメッセージが表示されている。
【０１２２】
そして、メッセージ領域１２２の下側には、メッセージ領域１２２に表示されているメッセージに促されたユーザが枚数を入力するためのテキストボックス１２３が表示されている。
【０１２３】
「戻る」ボタン１２４は、静止画枚数設定画面１２１から、装置の各種の設定を行う画面を選択可能な設定メインメニュー画面（図示せず）に表示を戻す（切り替える）ときに、ユーザにより操作（押下）される。
【０１２４】
図１３のフローチャートを参照して、第３の静止画の動画変換決定処理について説明する。
【０１２５】
初めに、ステップＳ１６１において、記録再生装置１は、DVD１４に記録されている静止画の枚数が、図１２の静止画枚数設定画面１２１で設定されている、所定の枚数未満であるか否かを判定する。
【０１２６】
ステップＳ１６１で、DVD１４に記録されている静止画の枚数が所定の枚数未満ではないと判定された場合、ステップＳ１６２に進み、記録再生装置１は、今回のファイナライズにおける静止画変換に関する設定を「動画変換しない」にして、処理を戻る。
【０１２７】
一方、ステップＳ１６１で、DVD１４に記録されている静止画の枚数が所定の枚数未満であると判定された場合、ステップＳ１６３に進み、記録再生装置１は、今回のファイナライズにおける静止画変換に関する設定を「動画変換する」にして、処理を戻る。
【０１２８】
次に、第４の静止画の動画変換決定処理について説明する。
【０１２９】
第４の静止画の動画変換決定処理では、演算処理部１６は、静止画のデータを動画データに変換してDVD１４をファイナライズした前回のファイナライズを解除してからの、DVD１４に記録した静止画の枚数が所定の枚数未満である場合に、今回のファイナライズにおける静止画変換に関する設定を「動画変換しない」にする。
【０１３０】
前回のファイナライズにおいて、静止画の動画変換処理が実行された場合、ユーザは、そのファイナライズされたDVD１４を他のDVDプレーヤなどで再生し、静止画を鑑賞していると予想される。今回のファイナライズにおいて、前回のファイナライズ以降に新たに記録した静止画の枚数が僅かな枚数（または０枚）である場合、静止画の動画変換処理にかかる時間は、既にユーザが鑑賞したほとんどの（またはすべての）静止画のために費やされることになる。即ち、鑑賞する必要のない静止画のために、待ち時間が発生することになる。
【０１３１】
そこで、演算処理部１６は、静止画のデータを動画データに変換してDVD１４をファイナライズした前回のファイナライズを解除してからの、DVD１４に記録した静止画の枚数が所定の枚数未満である場合には、今回のファイナライズにおける静止画変換に関する設定を「動画変換しない」にする。
【０１３２】
なお、静止画のデータを動画データに変換してDVD１４をファイナライズした前回のファイナライズを解除してからの、DVD１４に記録した静止画の枚数は、前回ファイナライズした時にディスク制御部１３から供給されていた、DVD１４に記録されている静止画の枚数を記憶部１７に記憶させておき、いまディスク制御部１３から供給された静止画の枚数と、記憶部１７に記憶させておいた静止画の枚数との差分から求めることができる。
【０１３３】
また、図１４に示すように、装置の各種の設定の一つとして、ファイナライズ解除後にDVD１４に記録した静止画の枚数が何枚までであれば静止画のデータを動画データに変換しないかの設定を、ユーザが設定することができるようになっている。
【０１３４】
即ち、図１４は、装置の各種の設定をユーザに設定させる設定画面のうちの、ファイナライズ解除後にDVD１４に記録した静止画の枚数が何枚までであれば静止画のデータを動画データに変換しないかについてユーザに設定させる、追加静止画枚数設定画面の例を示している。
【０１３５】
追加静止画枚数設定画面１４１は、図１４に示すように、メッセージ領域１４２、テキストボックス１４３、および「戻る」ボタン１４４により構成されている。
【０１３６】
メッセージ領域１４２には、「ファイナライズ解除後に追加して記録された静止画の枚数が設定された枚数未満である場合には、静止画を動画に変換しません。枚数を入力してください。」のメッセージが表示されている。
【０１３７】
そして、メッセージ領域１４２の下側には、メッセージ領域１４２に表示されているメッセージに促されたユーザが枚数を入力するためのテキストボックス１４３が表示されている。
【０１３８】
「戻る」ボタン１４４は、追加静止画枚数設定画面１４１から、装置の各種の設定を行う画面を選択可能な設定メインメニュー画面（図示せず）に表示を戻す（切り替える）ときに、ユーザにより操作（押下）される。
【０１３９】
図１５のフローチャートを参照して、第４の静止画の動画変換決定処理について説明する。
【０１４０】
初めに、ステップＳ１８１において、記録再生装置１は、静止画のデータを動画データに変換してDVD１４をファイナライズした前回のファイナライズを解除してからの、DVD１４に記録した静止画の枚数が所定の枚数以上であるか否かを判定する。
【０１４１】
ステップＳ１８１で、DVD１４に記録した静止画の枚数が所定の枚数未満であると判定された場合、ステップＳ１８２に進み、記録再生装置１は、今回のファイナライズにおける静止画変換に関する設定を「動画変換しない」にして、処理を戻る。
【０１４２】
ステップＳ１８１で、DVD１４に記録した静止画の枚数が所定の枚数以上であると判定された場合、ステップＳ１８３に進み、記録再生装置１は、今回のファイナライズにおける静止画変換に関する設定を「動画変換する」にして、処理を戻る。
【０１４３】
次に、第５の静止画の動画変換決定処理について説明する。
【０１４４】
DVD１４には静止画のデータと動画のデータの両方を記録させることができるが、DVD１４に記録することができる静止画の枚数には限界がある（以下、この枚数を限界枚数と称する）。DVD１４に記録されている静止画の枚数が限界枚数である場合には、将来、仮にファイナライズを解除したとしても新たに静止画をDVD１４に記録させることはできない。
【０１４５】
そこで、第５の静止画の動画変換決定処理では、演算処理部１６は、DVD１４に記録されている静止画の枚数が限界枚数である場合、換言すれば、DVD１４に記録可能な静止画の残枚数がない場合、今回のファイナライズにおける静止画変換に関する設定を「動画変換する」にする。
【０１４６】
図１６のフローチャートを参照して、第５の静止画の動画変換決定処理について説明する。
【０１４７】
初めに、ステップＳ２０１において、記録再生装置１は、DVD１４に記録可能な静止画の残枚数がないか（残枚数がゼロであるか）否かを判定する。
【０１４８】
ステップＳ２０１で、DVD１４に記録可能な静止画の残枚数があると判定された場合、即ち、DVD１４に記録可能な静止画の残枚数が１枚以上である場合、ステップＳ２０２に進み、記録再生装置１は、今回のファイナライズにおける静止画変換に関する設定を「動画変換しない」にして、処理を戻る。
【０１４９】
一方、ステップＳ２０１で、DVD１４に記録可能な静止画の残枚数がないと判定された場合、ステップＳ２０３に進み、記録再生装置１は、今回のファイナライズにおける静止画変換に関する設定を「動画変換する」にして、処理を戻る。
【０１５０】
次に、第６および第７の静止画の動画変換決定処理について説明する。
【０１５１】
演算処理部１６には、上述したように、いま記録再生装置１がAC電源部２１からのAC電源により駆動しているか、またはバッテリ２０により駆動しているかを表す情報（電源情報）と、バッテリ２０の残容量とが、電源制御部１９から供給される。
【０１５２】
記録再生装置１がAC電源部２１からのAC電源により駆動している場合、記録再生装置１の動作可能時間に制限はなく、DVD１４のファイナライズに時間を十分にかけることが可能である。
【０１５３】
一方、記録再生装置１がバッテリ２０により駆動している場合、記録再生装置１の動作可能時間はバッテリ２０の残容量により制限される。静止画の動画変換処理は、DVD１４のファイナライズにかかる時間を増大させ、電力を余計に消費させる。また、バッテリ２０の残容量が少ない場合には、DVD１４のファイナライズの途中でバッテリ２０の残容量がゼロとなり、処理が中断することも考えられる。従って、バッテリ２０の残容量が少ない場合には、ユーザは動画のみをDVDプレーヤで鑑賞することを優先し、静止画の動画変換処理を行わないほうが望ましい。
【０１５４】
そこで、第６の静止画の動画変換決定処理では、記録再生装置１がAC電源で駆動している場合に、今回のファイナライズにおける静止画変換に関する設定を「動画変換する」にして、記録再生装置１がバッテリ２０で駆動している場合には、今回のファイナライズにおける静止画変換に関する設定を「動画変換しない」にする。また、第７の静止画の動画変換決定処理では、バッテリ２０の残容量が所定の容量以上である場合に、今回のファイナライズにおける静止画変換に関する設定を「動画変換する」にする。
【０１５５】
図１７のフローチャートを参照して、第６の静止画の動画変換決定処理について説明する。
【０１５６】
初めに、ステップＳ２２１において、記録再生装置１は、自身がAC電源で駆動しているか否かを判定する。
【０１５７】
ステップＳ２２１で、記録再生装置１がAC電源で駆動していない、即ち、バッテリ２０により駆動していると判定された場合、ステップＳ２２２に進み、記録再生装置１は、今回のファイナライズにおける静止画変換に関する設定を「動画変換しない」にして、処理を戻る。
【０１５８】
一方、ステップＳ２２１で、記録再生装置１がAC電源で駆動していると判定された場合、ステップＳ２２３に進み、記録再生装置１は、今回のファイナライズにおける静止画変換に関する設定を「動画変換する」にして、処理を戻る。
【０１５９】
次に、図１８のフローチャートを参照して、第７の静止画の動画変換決定処理について説明する。
【０１６０】
初めに、ステップＳ２４１において、記録再生装置１は、バッテリ２０の残容量が所定の容量以上であるか否かを判定する。
【０１６１】
ステップＳ２４１で、バッテリ２０の残容量が所定の容量より少ないと判定された場合、ステップＳ２４２に進み、記録再生装置１は、今回のファイナライズにおける静止画変換に関する設定を「動画変換しない」にして、処理を戻る。
【０１６２】
一方、ステップＳ２４１で、バッテリ２０の残容量が所定の容量以上であると判定された場合、ステップＳ２４３に進み、記録再生装置１は、今回のファイナライズにおける静止画変換に関する設定を「動画変換する」にして、処理を戻る。
【０１６３】
以上のように、図８のファイナライズ制御処理によれば、演算処理部１６は、所定の条件に基づいて、静止画のデータを動画データに変換させるかどうかを決定（制御）する。ここで、所定の条件とは、上述したように、例えば、静止画変換設定画面１０１（図９）による設定（第１の静止画の動画変換決定処理）、DVD１４がライトワンス・メディアであるか否か（第２の静止画の動画変換決定処理）、DVD１４に記録されている静止画の枚数（第３の静止画の動画変換決定処理）、静止画のデータを動画データに変換してDVD１４をファイナライズした前回のファイナライズを解除してからの、DVD１４に追加して記録した静止画の枚数（第４の静止画の動画変換決定処理）、DVD１４に記録可能な静止画の残枚数（第５の静止画の動画変換決定処理）、記録再生装置１がAC電源で駆動しているか（第６の静止画の動画変換決定処理）、または、バッテリ２０の残容量（第７の静止画の動画変換決定処理）などである。
【０１６４】
これにより、静止画の動画変換処理を行うかどうかをユーザに問い合わせる必要がないので、ユーザは余計な操作を行う必要がなく、ユーザの操作の負担を軽減することができる。
【０１６５】
また、多くのユーザが静止画のデータを動画データに変換することを望む（または望まない）場合において、ユーザの誤操作を防止し、確実に静止画の動画変換処理を行う（行わない）ことができる。
【０１６６】
バッテリ２０の残容量に基づいて、静止画データを動画データに変換するかどうかを決定する場合には、静止画の動画変換処理にかかる時間および電力を節約することができるとともに、バッテリ２０の残容量がなくなったために、ファイナライズが中断する可能性を少なくすることができる。
【０１６７】
上述したファイナライズ制御処理それぞれによれば、DVD１４のファイナライズを行う際に、静止画のデータを動画データに変換するかどうかを適宜選択することができる。
【０１６８】
なお、上述したファイナライズ制御処理のそれぞれを単独で実行することができることは勿論、上述した複数のファイナライズ制御処理を適宜組み合わせて実行するようにしてもよい。例えば、ファイナライズキーが操作された場合、初心者モードであるかどうかを判定し(図７に示した処理)、標準モードであると判定された場合に、「今後も同一設定で実行する」を指定するチェックボックス７１が指定（オン）されていたか否かを判定し（図６に示した処理）、チェックボックス７１が指定されていない場合に、さらに、所定回数以上の「静止画を動画変換する」または「静止画を動画変換しない」が以前に選択されていたかどうかを判定するようにさせることができる。
【０１６９】
また、例えば、記録再生装置１がAC電源で駆動しているかどうかを判定し、記録再生装置１がバッテリ２０で駆動していると判定された場合、さらにバッテリ２０の残容量が所定の容量以上であるかどうかを判定するようにさせることができる。さらに、その他のファイナライズ制御処理の組み合せであっても良い。
【０１７０】
上述したファイナライズ制御処理などの一連の処理は、専用のハードウエアにより実行させることもできるし、ソフトウエアにより実行させることもできる。一連の処理をソフトウエアによって行う場合、例えば、その一連の処理は、図１９に示されるような（パーソナル）コンピュータにプログラムを実行させることにより実現することができる。
【０１７１】
図１９において、CPU（Central Processing Unit）３０１は、ROM（Read Only Memory）３０２に記憶されているプログラム、または記憶部３０８からRAM（Random Access Memory）３０３にロードされたプログラムに従って各種の処理を実行する。RAM３０３にはまた、CPU３０１が各種の処理を実行する上において必要なデータなども適宜記憶される。CPU３０１は、例えば、上述した映像音声信号処理部１２、演算処理部１６などが行う処理を実行する。
【０１７２】
CPU３０１、ROM３０２、およびRAM３０３は、バス３０４を介して相互に接続されている。このバス３０４にはまた、入出力インタフェース３０５も接続されている。
【０１７３】
入出力インタフェース３０５には、キーボード、マウス、入力端子などよりなる入力部３０６、CRT(Cathode Ray Tube)、LCD(Liquid Crystal display)などよりなるディスプレイ、並びにスピーカなどよりなる出力部３０７、ハードディスクなどより構成される記憶部３０８、モデム、ターミナルアダプタなどより構成される通信部３０９が接続されている。通信部３０９は、インターネットなどのネットワークを介しての通信処理を行う。入力部３０６は、操作部１８の機能を実行し、出力部３０７は、映像・音声出力部１５の機能を実行する。また、記憶部３０８は、記憶部１７と同様のデータを記憶する。
【０１７４】
入出力インタフェース３０５にはまた、DVDドライブ３１０が接続されており、DVD１４に対して、動画または静止画のデータを記録または再生する。
【０１７５】
さらに、入出力インタフェース３０５には、必要に応じてドライブ３１１が接続され、磁気ディスク（フロッピディスクを含む）、光ディスク（CD-ROM(Compact Disk-Read Only Memory)を含む）、光磁気ディスク（MD（Mini-Disk）を含む）、或いは半導体メモリなどのリムーバブルメディア（記録媒体）３２１が適宜装着され、それらから読み出されたコンピュータプログラムが、必要に応じて記憶部３０８にインストールされる。
【０１７６】
なお、本明細書において、フローチャートに記述されたステップは、記載された順序に沿って時系列的に行われる処理はもちろん、必ずしも時系列的に処理されなくとも、並列的あるいは個別に実行される処理をも含むものである。
【図面の簡単な説明】
【０１７７】
【図１】本発明を適用した記録再生装置の一実施の形態の構成例を示すブロック図である。
【図２】静止画変換選択画面の例を示す図である。
【図３】ファイナライズ制御処理を説明するフローチャートである。
【図４】ファイナライズ制御処理を説明するフローチャートである。
【図５】静止画変換選択画面例を示す図である。
【図６】ファイナライズ制御処理を説明するフローチャートである。
【図７】ファイナライズ制御処理を説明するフローチャートである。
【図８】ファイナライズ制御処理を説明するフローチャートである。
【図９】静止画変換設定画面の例を示す図である。
【図１０】第１の動画変換決定処理を説明するフローチャートである。
【図１１】第２の動画変換決定処理を説明するフローチャートである。
【図１２】静止画枚数設定画面の例を示す図である。
【図１３】第３の動画変換決定処理を説明するフローチャートである。
【図１４】追加静止画枚数設定画面の例を示す図である。
【図１５】第４の動画変換決定処理を説明するフローチャートである。
【図１６】第５の動画変換決定処理を説明するフローチャートである。
【図１７】第６の動画変換決定処理を説明するフローチャートである。
【図１８】第７の動画変換決定処理を説明するフローチャートである。
【図１９】本発明を適用したコンピュータの一実施の形態の構成例を示すブロック図である。
【符号の説明】
【０１７８】
１    記録再生装置，  １１    映像・音声信号入力部，  １２    映像・音声信号処理部，  １３    ディスク制御部，  １４    DVD，  １５    映像・音声出力部，  １６    演算処理部，  １７    記憶部，  １９    電源制御部
【図１】
2006115118.tif 000003
【図２】
2006115118.tif 000004
【図３】
2006115118.tif 000005
【図４】
2006115118.tif 000006
【図５】
2006115118.tif 000007
【図６】
2006115118.tif 000008
【図７】
2006115118.tif 000009
【図８】
2006115118.tif 000010
【図９】
2006115118.tif 000011
【図１０】
2006115118.tif 000012
【図１１】
2006115118.tif 000013
【図１２】
2006115118.tif 000014
【図１３】
2006115118.tif 000015
【図１４】
2006115118.tif 000016
【図１５】
2006115118.tif 000017
【図１６】
2006115118.tif 000018
【図１７】
2006115118.tif 000019
【図１８】
2006115118.tif 000020
【図１９】
2006115118.tif 000021